(57)【特許請求の範囲】
【請求項１】
回動体と、位置決め部と、
を備える回動機構であって、
前記回動体は、前記位置決め部に対して回動でき、
前記回動体には、突起部が設置されており、前記位置決め部は、弾性を持つ弧状係合部を含み、
また、前記位置決め部は、矩形の枠体であり、前記枠体は、２つの壁を含み、前記弧状係合部の両端は、前記枠体の前記２つの壁とそれぞれ連接し、
前記弧状係合部には、前記突起部と噛合する噛合部が設置されており、前記回動体の前記突起部は、作用力下で前記位置決め部の前記弧状係合部に沿って回動し、且つ前記弧状係合部を押し付けて変形させ、前記突起部と、前記弧状係合部の噛合部とが噛合している際、前記回動体と、前記位置決め部とが角度をなして位置決めされることを特徴とする回動機構。
【請求項２】
前記突起部は、互いに交差している２つの第一傾斜面を含み、前記噛合部は、２つの第二傾斜面を含み、前記突起部が前記噛合部と噛合する際、前記突起部の前記第一傾斜面は、前記噛合部の前記第二傾斜面と接合していることを特徴とする請求項１に記載の回動機構。
【請求項３】
前記回動体は、２つの側壁を有し、各前記側壁には、回動軸がそれぞれ設置されており、前記回動軸は、前記側壁と垂直な方向に沿って延在しており、前記突起部は、前記２つの側壁中の１つの側壁に設置されていることを特徴とする請求項２に記載の回動機構。
【請求項４】
本体と、回動機構と、一組のプラグとを備えるアダプタであって、
前記回動機構は、前記アダプタに取り付けられており、且つ位置決め部と回動体とを備え、前記位置決め部は、前記本体に固設されており、前記回動体は、前記本体に回転可能に連結されており且つ前記位置決め部に対して回動でき、前記プラグは、前記回動体に取り付けられており、
前記回動体には、突起部が設置されており、前記位置決め部は、弾性を持つ弧状係合部を含み、
また、前記位置決め部は、矩形の枠体であり、前記枠体は、２つの壁を含み、前記弧状係合部の両端は、前記枠体の前記２つの壁とそれぞれ連接し、
前記弧状係合部には、前記突起部と噛合する噛合部が設置されており、前記回動体の前記突起部は、作用力下で前記位置決め部の前記弧状係合部に沿って回動し、且つ前記弧状係合部を押し付けて変形させ、前記突起部と、前記弧状係合部の噛合部とが噛合している際、前記回動体と、前記位置決め部とが角度をなして位置決めされることを特徴とすることを特徴とするアダプタ。
【請求項５】
前記突起部は、互いに交差している２つの第一傾斜面を含み、前記噛合部は、２つの第二傾斜面を含み、前記突起部が前記噛合部と噛合する際、前記突起部の前記第一傾斜面は、前記噛合部の前記第二傾斜面と接合していることを特徴とする請求項４に記載のアダプタ。
【請求項６】
前記回動体は、２つの側壁を有し、各前記側壁には、回動軸がそれぞれ設置されており、前記回動軸は、前記側壁と垂直な方向に沿って延在しており、前記突起部は、前記２つの側壁の１つに設置されていることを特徴とする請求項４に記載のアダプタ。
【請求項７】
前記本体に凹部が設けられ、前記凹部は、前記回動体に収容することに用いられ、前記凹部は、第一側壁及び第二側壁を含み、前記回動体の前記突起部が設置されていない前記回動軸は、前記凹部の前記第一側壁に回動可能に設置されており、前記回動体の前記突起部が設置されている前記回動軸は、前記凹部の前記第二側壁に回動可能に設置されており且つ前記突起部は、前記第二側壁から伸び出し、前記位置決め部は、前記凹部の前記第二側壁の前記回動体から離れている側に固設されていることを特徴とする請求項６に記載のアダプタ。
【請求項８】
前記回動体は、第三側壁を含み、前記第三側壁は、前記回動体の２つの側壁とそれぞれ連接しており、前記プラグは、折り曲げられる構造の金属プラグであり、前記プラグは、第一端及び第二端を含み、前記プラグの前記第一端は、前記第三側壁から伸び出し、前記プラグの前記第二端は、前記回動体の回動軸を通して前記回動軸から伸び出していることを特徴とする請求項４に記載のアダプタ。
【発明の詳細な説明】
【技術分野】
【０００１】
本発明は、アダプタに関し、特に回動機構及びその回動機構を備えるアダプタに関する。
【背景技術】
【０００２】
市販のアダプタのプラグがアダプタの絶縁カバーから突き出しているため、外部のものと衝突して、破損する恐れがある。従来技術のアダプタのプラグは、絶縁カバーに固定されている。しかし、このようなアダプタのプラグプラグが回転できないので、利用できない場所もある。例えば、傾斜壁の上に設置されているソケットに差し込むことができない。
【発明の概要】
【発明が解決しようとする課題】
【０００３】
以上の問題に鑑み、本発明は、プラグの角度が調節できる回動機構及びこの回動機構を備えるアダプタを提供することを目的とする。
【課題を解決するための手段】
【０００４】
以上の問題を解決するために、本発明に係る回動機構は、回動体と、位置決め部と、を備え、前記回動体は、位置決め部に対して回動でき、前記回動体には、突起部が設置されており、前記突起部は、弾性を持つ弧状係合部を含み、また、前記位置決め部は、矩形の枠体であり、前記枠体は、２つの壁を含み、前記弧状係合部の両端は、前記枠体の前記２つの壁とそれぞれ連接し、前記弧状係合部には、前記突起部と噛合する噛合部が設置されており、前記回動体の突起部は、作用力下で前記位置決め部の弧状係合部に沿って回動し、且つ前記弧状係合部を押し付けて変形させ、前記突起部と前記弧状係合部の噛合部が噛合している際、前記回動体と前記位置決め部とが角度をなして位置決めされる。
【０００５】
以上の問題を解決するために、本発明に係るアダプタは、本体と、回動機構と、一組のプラグとを備え、前記回動機構は、アダプタに取り付けられており、且つ位置決め部と回動体とを備え、前記位置決め部は、本体に固設されており、前記回動体は、本体に回転可能に連結されており且つ前記位置決め部に対して回動でき、前記プラグは、前記回動体に取り付けられており、前記回動体には、突起部が設置されており、前記位置決め部は、弾性を持つ弧状係合部を含み、また、前記位置決め部は、矩形の枠体であり、前記枠体は、２つの壁を含み、前記弧状係合部の両端は、前記枠体の前記２つの壁とそれぞれ連接し、前記弧状係合部には、前記突起部と噛合する噛合部が設置されており、前記回動体の突起部は、作用力下で前記位置決め部の弧状係合部に沿って回動し、且つ前記弧状係合部を押し付けて変形させ、前記突起部と前記弧状係合部の噛合部とが噛合している際、前記回動体と前記位置決め部とが角度をなして位置決めされる。
【０００６】
本発明に係る回動機構は、構造が簡単であり、アダプタを使用しない時、回動体の回動を介してアダプタのプラグをアダプタ本体に収容させることにより、アダプタのプラグがアダプタの絶縁カバーから突き出していないため、外部のものと衝突して、破損する恐れがない。一方、アダプタを使用する時に、回動体を回動してアダプタのプラグに位置決め部に対して特定の角度で固定することにより、ユーザがアダプタを特定な差し込む角度を有するソケットに差し込むことができ、且つ使用が利便である。
【図面の簡単な説明】
【０００７】
【図１】図1は、本発明の実施形態に係るアダプタの斜視図である。
【図２】図２は、図１に示したアダプタの別の視角から見た斜視図である。
【図３】図３は、図１に示したアダプタの分解斜視図である。
【図４】図４は、図１に示したアダプタの別の視角から見た分解斜視図である。
【図５】図５は、図１に示した回動体が回動過程における１つの状態を示す図である。
【図６】図６は、図１に示した回動体が回動過程におけるもう１つの状態を示す図である。
【発明を実施するための形態】
【０００８】
以下、図面を参照しながら本発明を更に説明する。
【０００９】
図１に示すように、アダプタ１は、本体１１、回動機構１２及び一組のプラグ１３を備える。図２〜図４を併せて参照すると、回動機構１２は、回動体１２１及び位置決め部１２２を備える。位置決め部１２２は、本体１１に固定されている。回動体１２１は、本体１１に回動可能に連結されており、且つ位置決め部１２２に対して回動する。一組のプラグ１３は、導体であり、例えば金属から製造されている。一組のプラグ１３は、回動体１２１に取り付けられており、且つ回動体１２１の回動に連動されて回動する。本体１１には、凹部１１１が設けられている。本実施形態において、凹部１１１は、本体１１の外表面の４つのコーナーのいずれかに設けられている。プラグ１３が回動体１２１の位置決め部１２２に対して回動する際、一組のプラグ１３は、回動体１２１の回動に従って本体１１の凹部１１１から引き出しまたは凹部１１１に収容される。
【００１０】
図３に示すように、凹部１１１は、互いに対向する第一側壁１１１１及び第二側壁１１１２を含む。第一側壁１１１１及び第二側壁１１１２には、それぞれ１つのスルーホール１１１０が設けられている。本実施形態において、回動体１２１は、プラスチックなどの絶縁材料により製造された中空のカバーである。回動体１２１は、互いに平行な２つの側壁１２１２及び該２つの側壁１２１２の間に位置しており、且つ該２つの側壁１２１２の一端とそれぞれ連接している第三側壁１２１３を有する。各側壁１２１２には、当該側壁１２１２と垂直な方向に沿って回動体１２１の外部に向けて突起している１つの回動軸１２１４が設置されている。２つの回動軸１２１４中の１つ回動軸１２１４には、側壁１２１２から離れる方向に向けて突起した突起部１２１１が設置されている。もう一つの回動軸１２１４には、突起部１２１１が設置されていない。突起部１２１１における回動軸１２１４から離れている端部には、互いに交差している２つの第一傾斜面１２１１１を含む。本実施形態において、突起部１２１１の２つの第一傾斜面１２１１１は鈍角をなす。回動体１２１の突起部１２１１が設置されていない回動軸１２１４は、第一側壁１１１１のスルーホール１１１０を介して凹部１１１の第一側壁１１１１に回動可能に設置されている。突起部１２１１が設置されている回動軸１２１４は、第二側壁１１１２のスルーホール１１１０を介して凹部１１１の第二側壁１１１２に回動可能に設置されている。突起部１２１１は、第二側壁１１１２のスルーホール１１１０から伸び出している。
【００１１】
本実施形態において、位置決め部１２２は、本体１１の内部の中空体に固設されている。図４に示すように、位置決め部１２２は、一組の連接部品１１１３を介して凹部１１１の第二側壁１１１２における回動体１２１から離れている側に固設されている。具体的には、２つの連接部品１１１３は、第二側壁１１１２のスルーホール１１１０の両側に設置されており、各連接部品１１１３には、Ｕ文字型凹部１１１４が設けられている。位置決め部１２２の両端は、２つの連接部品１１１３の２つのＵ文字型凹部１１１４にそれぞれ固設されている。位置決め部１２２は、矩形の枠体であり、枠体には、弾性である弧状係合部１２２１と、該弧状係合部１２２１と連接している孔部１２２３とが設置されている。弧状係合部１２２１は、回動体１２１の突起部１２１１と当接している。図３に示すように、具体的に、弧状係合部１２２１における回動体１２１と近接している一側には、複数の突起部１２１１と噛合するための噛合部１２２２が設置されている。各噛合部１２２２は、突起部１２１１の第一傾斜面１２１１１と噛合するための２つの第二傾斜面１２２２１を含む。孔部１２２３は、２つの壁１２２３１を含み、弧状係合部１２２１の両端は、孔部１２２３の２つの壁１２２３１とそれぞれ連接している。
【００１２】
回動体１２１に作用力を施して回動軸１２１４を回して回動させる際、突起部１２１１は、弧状係合部１２２１に接触して押し付けて弧状係合部１２２１を変形させる。従って、突起部１２１１が、弧状係合部１２２１に沿って回動する。突起部１２１１が、弧状係合部１２２１の１つの噛合部１２２２と噛合する際、回動体１２１及び該回動体１２１に取り付けられるプラグ１３と、位置決め部１２２とが所定の角度によって位置決めされる。それにより、ユーザがアダプタ１をソケット（図に示せず）に差し込むことが容易となる。本実施形態において、プラグ１３と、位置決め部１２２とがなす角をより安定的に形成するために、プラグ１３が位置決め部１２２と噛合する時、突起部１２１１の第一傾斜面１２１１１と、噛合部１２２２の第二傾斜面１２２２１と接触している部分の面積を増大させる。例えば、突起部１２１１が位置決め部１２２と噛合する際、突起部１２１１の第一傾斜面１２１１１に噛合部１２２２の第二傾斜面１２２２１と接合させて、プラグ１３と位置決め部１２２とがなす角の安定性を向上させる。本実施形態において、位置決め部１２２は、一体成型される弾性片であり、位置決め部１２２の弧状係合部１２２１の弧度は、１８０度であり、弧状係合部１２２１の噛合部１２２２の数量は、３つである。
【００１３】
図４を参照すると、本実施形態において、プラグ１３は、Ｌ文字型の折り曲げられる構造の金属片である。プラグ１３は、第一端１３１及び第二端１３２を含む。プラグ１３の第一端１３１は、回動体１２１の第三側壁１２１３を通過して第三側壁１２１３から伸び出してソケット（図に示せず）に差し込む。プラグ１３の第二端１３２は、回動体１２１の回動軸１２１４を通過して回動軸１２１４から伸び出してアダプタ１の内部の導電端末（図に示せず）に接続する。
【００１４】
図５及び図６に示すように、本実施形態において、本体１１には、開口部１１２が設けられている。開口部１１２は、凹部１１１と連通して凹部１１１と共同にＬ文字型を呈す。プラグ１３は、アダプタ１の凹部１１１に収容される時、ユーザが開口部１１２を通じて作用力を施してプラグ１３を回動させる。
【符号の説明】
【００１５】
１  アダプタ
１１  本体
１２  回動機構
１３  プラグ
１１１  凹部
１１１０  スルーホール
１１１１  第一側壁
１１１２  第二側壁
１１１３  連接部品
１１１４  Ｕ文字型凹部
１１２  開口部
１２１回動体
１２１１  突起部
１２１１１  第一傾斜面
１２１３  第三側壁
１２１４  回動軸
１２２  位置決め部
１２２１  弧状係合部
１２２２  噛合部
１２２２１  第二傾斜面
１２２３  孔部
１２２３１  壁
１３１  第一端
１３２  第二端
【図１】
0006786351.tif 000002
【図２】
0006786351.tif 000003
【図３】
0006786351.tif 000004
【図４】
0006786351.tif 000005
【図５】
0006786351.tif 000006
【図６】
0006786351.tif 000007